(57)【要約】【課題】オーディオ機器からの再生音をヘッドホンで聴いているときであっても、電話の着信をユーザに通知し且つ電話機を操作することなく迅速に相手の用件（メッセージ）を聞くことを可能にする電話着信通知方法および装置を提供する。【解決手段】オーディオ機器１５を、着信通知装置１０のヘッドホンプラグ１６、音声切り替え手段１２およびヘッドホンジャック１３を介してヘッドホン１４に接続する。ユーザは、通常状態ではオーディオ機器１５の再生音をヘッドホン１４で聴き、電話機２０に着信があると、通信手段２２から無線通信にて着信通知装置１０の通信手段１１にて受信し、ヘッドホン１４に着信通知する。自動応答でのメッセージ要求に対して相手の電話からメッセージが送られてくると、音声取得手段２１で音声を取得してヘッドホン１４に出力し、メッセージの受信を可能にする。【選択図】図２
2007096736.tif 000002
【特許請求の範囲】
【請求項１】
オーディオ機器の再生音をヘッドホンで聴いている際に電話の着信があると、前記ヘッドホンを介して前記着信をユーザに通知する電話着信通知方法において、
前記着信時に相手の電話への自動応答によるメッセージ要求するステップと、前記自動応答によるメッセージ要求に対する相手の電話からのメッセージの有無を判断するステップと、前記相手の電話からのメッセージがある場合には該メッセージを取得するステップと、前記取得されたメッセージを無線通信するステップと、前記無線通信を受信して前記メッセージを前記ヘッドホンに出力するステップと、を備えることを特徴とする電話着信通知方法。
【請求項２】
前記着信時の着信音は、予め決められた一定時間のみ出力し、該一定期間中は前記オーディオ機器の再生音を中断することを特徴とする請求項１に記載の電話着信通知方法。
【請求項３】
前記相手の電話のメッセージの継続／切断を判断するステップを備え、前記メッセージの終了を検出した後に前記音声取得手段で取得されたメッセージを前記ヘッドホンに出力することを特徴とする請求項１又は２に記載の電話着信通知方法。
【請求項４】
前記電話機からの無線通信を暗号化する暗号化ステップと、前記受信した無線通信を復号化する復号化ステップとを備えることを特徴とする請求項１、２又は３に記載の電話着信通知方法。
【請求項５】
前記電話機への相手の電話からのメッセージを保存するメッセージ保存ステップと、前記保存されたメッセージをユーザの希望時に再生する再生ステップとを備えることを特徴とする請求項１、２、３又は４に記載の電話着信通知方法。
【請求項６】
ユーザが装着したヘッドホンおよびオーディオ機器間に配置され、該オーディオ機器からの再生音を前記ヘッドホンに出力すると共に電話機からの音声を出力して電話着信を通知する電話着信通知装置において、
前記電話機には、着信時に着信音を発生すると共に相手電話機にメッセージ要求してメッセージを取得する音声取得手段を備え、該音声取得手段により前記相手電話機から取得したメッセージを前記着信通知装置へ無線通信して前記ヘッドホンに出力することを特徴とする電話着信通知装置。
【請求項７】
前記着信通知手段は、前記電話機からの前記着信音および前記メッセージを受信中は前記オーディオ機器の再生音の前記ヘッドホンへの出力を中断する音声切り替え手段を備えることを特徴とする請求項６に記載の電話着信通知装置。
【請求項８】
前記電話機は、前記音声取得手段で取得した前記相手電話機からのメッセージを無線送信する信号を暗号化する暗号化手段を備え、前記着信通知装置は、前記電話機からの暗号化された無線信号を復号化する復号化手段を備えることを特徴とする請求項６又は７に記載の電話着信通知装置。
【請求項９】
前記電話機は、前記音声取得手段が取得した前記相手電話機からのメッセージを保存するメッセージ保存手段を備え、前記着信通知装置は、前記メッセージ保存手段に保存されたメッセージを適時に再生する再生操作手段を備えることを特徴とする請求項６、７又は８に記載の電話着信通知装置。
【発明の詳細な説明】
【技術分野】
【０００１】
本発明は電話装置に関し、特にオーディオ機器の再生音をヘッドホンで聴いている場合であっても、携帯電話の着信をユーザ（使用者）に確実に通知可能にする電話着信通知方法および装置に関する。
【背景技術】
【０００２】
携帯電話は、その利便性故に広く普及し、益々高性能化して種々の用途に使用されている。斯かる携帯電話を使用するには、片手で携帯電話機を持ち、その受話部を一方の耳に押当て送話部を口の近傍へ位置させて使用するのが一般的である。しかし、例えば車両の運転中には、運転の安全性を確保するために、斯かる使用が禁止されている。
【０００３】
そこで、運転中でも運転者が着信を受けて通話することを可能にするために、電話の着信をカーステレオ等のオーディオ機器を通して受けて通話可能にする技術が開発されている。オーディオ機器を使用することにより、ユーザは携帯電話機を把持又は操作することなく且つその環境に応じた適当な音量で着信を受けて通話することが可能である。
【０００４】
また、携帯オーディオ機器のユーザがヘッドホンでその再生音、例えば音楽等を聴いている場合に、携帯電話に着信があると、この着信が聞き取れなくて応答できないことがある。斯かる場合でも電話の着信を認識して通話可能にする技術が提案されている（例えば、特許文献１および特許文献２参照。）。即ち、特許文献１には、携帯電話の制御部は、メモリカード再生中に着信があると、オーディオデータの送出を中止し、着信音をモニタ装置に出力する。そして、ユーザがモニタ装置の操作子を操作すると、携帯電話の基地局にオフフックを通知し、通話対象（相手）の音声をモニタ装置のスピーカから出力している。また、特許文献２では、操作釦を用いて携帯音響装置の再生動作を行い聴取中に携帯電話に着信があると、着信に際して発生するＡＬＥＲＴ信号が携帯電話着信通知装置の電波検知部により検知されて、音声合成部からの着信を知らせる音声合成音が、現在聴いている携帯用音響機器の再生音の代わりに又はそれに混合されてヘッドホンから聴取可能である。
【０００５】
【特許文献１】特開２００１−３５２３７４号公報（第５頁、第４図）
【特許文献２】特開平１１−１５４９９４号公報（第３頁、第１図）
【０００６】
図4は、オーディオ機器を通じて通話する、例えば上記特許文献２に記載の如き従来の構成のブロック図を示す。この電話着信通知装置は、着信通知装置４０、ヘッドホン４４、オーディオ機器４５および電話機により構成されている。着信通知装置４０は、通信手段４１、音声切り替え手段４２およびヘッドホンジャック４３を有する。ヘッドホンジャック４３には、ヘッドホン４４が接続されている。オーディオ機器４５は、ヘッドホンプラグ４６を介して着信通知装置４０の音声切り替え手段４２に接続されている。一方、電話機５０は、通信手段５１を有し、無線通信により着信通知装置４０の通信手段４１と通信可能に構成されている。
【０００７】
図４において、例えば携帯電話端末である電話機５０に他の電話機（図示せず）から着信があると、この着信を、通信手段５１を介して着信通知装置４０へ無線通信で伝達する。そして、着信通知装置４０の通信手段４１がこの無線通信を受信すると、音声切り替え手段４２およびヘッドホンジャック４３を介してヘッドホン４４へ音声出力する。そこで、ユーザ（又は使用者）は、このヘッドホン４４からの通知音声により電話の着信を知ることができる。
【発明の開示】
【発明が解決しようとする課題】
【０００８】
上述の如き従来技術は、電話の着信の通知を目的とする装置をオーディオ機器に追加する技術である。斯かる技術が有用になる局面としては、携帯電話端末を鞄の中に入れており、着信を通知する鳴動・振動を使用者が感知できず、また携帯電話端末をすぐに使用することができない状況が想定される。
【０００９】
一般に、携帯電話端末にはマナーモードと称される自動応答機能がある。これにより、電話の受信者が応答できなくても用件の伝達が可能である。従来の技術では、電話の受信者は伝達された用件を知るには、携帯電話端末を操作するかモニタ装置の操作子を操作する必要がある。しかし、電話の着信に応答不可能な状態、例えば車両の運転中又は荷物を持っており手の自由が利かない場合には、電話の着信に応答できず、例えば緊急を要する場合に迅速な対応が取れないという課題があった。
【００１０】
本発明は、従来技術の上述した課題に鑑みなされたものであり、斯かる課題を解消する電話着信通知方法および装置を提供すること、即ち、電話着信を通知すると共に電話の発信者からのメッセージを、携帯電話端末を操作することなく、ユーザのヘッドホンへ出力可能にする電話着信通知方法および装置を提供することを目的とする。
【課題を解決するための手段】
【００１１】
前述の課題を解決するため、本発明による電話着信通知方法および装置は、次のような特徴的な構成を採用している。
【００１２】
（１）オーディオ機器の再生音をヘッドホンで聴いている際に電話の着信があると、前記ヘッドホンを介して前記着信をユーザに通知する電話着信通知方法において、
前記着信時に相手の電話への自動応答によるメッセージ要求するステップと、前記自動応答によるメッセージ要求に対する相手の電話からのメッセージの有無を判断するステップと、前記相手の電話からのメッセージがある場合には該メッセージを取得するステップと、前記取得されたメッセージを無線通信するステップと、前記無線通信を受信して前記メッセージを前記ヘッドホンに出力するステップと、を備える電話着信通知方法。
（２）前記着信時の着信音は、予め決められた一定時間のみ出力し、該一定期間中は前記オーディオ機器の再生音を中断する上記（１）の電話着信通知方法。
（３）前記相手の電話のメッセージの継続／切断を判断するステップを備え、前記メッセージの終了を検出した後に前記音声取得手段で取得されたメッセージを前記ヘッドホンに出力する上記（１）又は（２）の電話着信通知方法。
（４）前記電話機からの無線通信を暗号化する暗号化ステップと、前記受信した無線通信を復号化する復号化ステップとを備える上記（１）、（２）又は（３）の電話着信通知方法。
（５）前記電話機への相手の電話からのメッセージを保存するメッセージ保存ステップと、前記保存されたメッセージをユーザの希望時に再生する再生ステップとを備える上記（１）、（２）、（３）又は（４）の電話着信通知方法。
（６）ユーザが装着したヘッドホンおよびオーディオ機器間に配置され、該オーディオ機器からの再生音を前記ヘッドホンに出力すると共に電話機からの音声を出力して電話着信を通知する電話着信通知装置において、
前記電話機には、着信時に着信音を発生すると共に相手電話機にメッセージ要求してメッセージを取得する音声取得手段を備え、該音声取得手段により前記相手電話機から取得したメッセージを前記着信通知装置へ無線通信して前記ヘッドホンに出力する電話着信通知装置。
（７）前記着信通知手段は、前記電話機からの前記着信音および前記メッセージを受信中は前記オーディオ機器の再生音の前記ヘッドホンへの出力を中断する音声切り替え手段を備える上記（６）の電話着信通知装置。
（８）前記電話機は、前記音声取得手段で取得した前記相手電話機からのメッセージを無線送信する信号を暗号化する暗号化手段を備え、前記着信通知装置は、前記電話機からの暗号化された無線信号を復号化する復号化手段を備える上記（６）又は（７）の電話着信通知装置。
（９）前記電話機は、前記音声取得手段が取得した前記相手電話機からのメッセージを保存するメッセージ保存手段を備え、前記着信通知装置は、前記メッセージ保存手段に保存されたメッセージを適時に再生する再生操作手段を備える上記（６）、（７）又は（８）の電話着信通知装置。
【発明の効果】
【００１３】
本発明の電話着信通知方法および装置によると、次の如き実用上の顕著な効果が得られる。即ち、電話が着信し、その着信がオーディオ機器を介して通知された後、電話の相手からのメッセージが出力されるので、直ちに電話の用件を知り、緊急を要する場合に対処することが可能である。また、電話の相手からのメッセージが、電話機を操作することなく自動的に通知されるので、電話機の操作が不可能（例えば、車両の運転中）又は可能であっても周囲の迷惑になる可能性のある場所でも、電話の用件を知ることが可能である。
【００１４】
更に、電話機と着信通知装置間の無線通信を暗号化／復号化することにより、第三者に通信の秘密が漏洩するのを防止することが可能である。また、メッセージ保存手段を設けることにより、保存されたメッセージを後で希望する時間に再生して確認することが可能である。また、着信通知装置は、ヘッドホンプラグおよびヘッドホンジャックを有するので、ユーザの希望する任意のオーディオ機器および任意のヘッドホンが使用可能である。
【発明を実施するための最良の形態】
【００１５】
以下、本発明による電話着信通知方法および装置の好適実施形態の構成および動作を、添付図面を参照して詳述する。
【００１６】
先ず、図１は、本発明による電話着信通知装置の好適実施形態の構成を示すブロック図である。この電話着信通知装置は、通信手段１１、音声切り替え手段１２、ヘッドホンジャック１３およびヘッドホンプラグ１６を有する着信通知装置１０、ヘッドホンジャックに接続されたヘッドホン１４、ヘッドホンプラグ１６を介して着信通知装置１０の音声切り替え手段１２に接続されるオーディオ機器１５、音声取得手段２１および通信手段２２を有する電話機２０により構成される。そして、着信通知装置１０の通信手段１１および電話機２０の通信手段２２は、相互に無線（例えば、微弱ＦＭ電波、赤外線又はＢｌｕｅｔｏｏｔｈ等）により通信する。
【００１７】
図１に示す電話着信通知装置において、ユーザ（使用者）は、着信通知装置１０のヘッドホンプラグ１６を、任意のオーディオ機器１５のヘッドホンジャック（図示せず）に接続する。ヘッドホンジャック１３には、オーディオ機器１５のヘッドホン１４を接続する。電話の着信がない間は、音声切り替え手段１２はヘッドホンプラグ１６から入力されるオーディオ機器１５からの音声信号をヘッドホンジャック１３へ出力する。即ち、ユーザはオーディオ機器１５を使用している状態（又はオーディオ機器１５が使用可能な状態）を継続する。
【００１８】
次に、電話機２０に他の電話機（図示せず）から着信がある電話着信時には、電話機２０は、通信手段２２から着信通知信号を無線発信する。そこで、着信通知装置１０は、通信手段１１により、電話機２０からの着信通知信号を受信する。そこで、着信通知装置１０の音声切り替え手段１２は、ヘッドホンプラグ１６からの音声信号を切断し、着信通知信号を音声信号化した信号をヘッドホンジャック１３へ出力する。
【００１９】
上述した着信通知信号は、予め決められた一定時間（例えば、ユーザがその信号を認知するのに充分な時間）だけ継続され、その後停止する。この着信通知信号の停止後、音声切り替え手段１２は、ヘッドホンプラグ１６からの音声信号をヘッドホンジャック１３へ接続する。即ち、上述した電話着信前の状態に戻る。通話状態は、電話着信の後、電話機２０による自動応答へ遷移する。自動応答は、電話機２０の音声取得手段２１により、電話の発信者に対してメッセージ（伝言）の録音を促す音声（例えば、「現在電話に出られません、お急ぎの場合にはメッセージを送っていただければ、直ぐに応答致します。」）を伝達する。
【００２０】
上述した自動応答が開始してから一定時間経過後に、通話状態が継続している場合には、通信手段２２は、電話の発信者がメッセージを録音しようとしていると判断する。そこで、電話機２０は、発信者からのメッセージ音声を音声取得手段２１により取得し、通信手段２２から無線信号として発信する。
【００２１】
着信通知装置１０は、通信手段１１で電話機２０の通信手段２２からのメッセージ音声の無線信号を受信すると、音声切り替え手段１２はヘッドホンプラグ１６からの音声信号を再度切断する。そして、メッセージ音声信号をヘッドホンジャック１３へ出力する。ユーザは、このメッセージ音声信号をヘッドホン１４で聴くことができる。通話終了時には、電話機２０の通信手段２２からの無線信号が停止する。そこで、着信通知装置１０は、通信手段１１により無線信号の停止を検出すると、音声切り替え手段１２は、ヘッドホンプラグ１６からの音声信号をヘッドホンジャック１３へ接続する。その結果、着信通知装置１０は、初期状態である上述した電話着信前の状態に戻る。
【００２２】
次に、図２のフローチャートを参照して、図１に示す電話着信通知装置の電話機および着信通知装置の動作を説明する。図２において、左側に着信通知装置１０の動作フローチャートを示し、右側に電話機２０の動作フローチャートを示す。
【００２３】
先ず、電話機２０は、初期状態で電話着信待ちであり、着信がない間はその状態を保持する（ステップＡ１）。次に、電話着信の有無を判断する（ステップＡ２）。このステップＡ２において「着信なし」の場合には、ステップＡ２へ戻り、着信を待つ。電話機２０に他の電話機から着信がある（ステップＡ２：「着信あり」）と、一定時間の着信通知信号の無線発信（ステップＡ３）および電話をかけてきた相手へメッセージを求める自動応答（ステップＡ５）を行う。尚、上述した一定時間着信信号を発信（ステップＡ３）の後、着信通知信号は自動的に停止する（ステップＡ４）。
【００２４】
一方、着信通知装置１０は、初期状態で無線信号受信待ちであり、ヘッドホンジャック１３へオーディオ機器１５からの音声信号を出力する（ステップＢ１）。電話機２０の通信手段２２からの無線信号がない間は、その状態を保持する。次に、着信通知装置１０は、電話機２０からの信号受信の有無を判断する（ステップＢ２）。信号受信がない「信号なし」の場合には、ステップＢ２へ戻り、信号の受信を待ち受ける。電話機２０からの着信通知信号を受信すると、オーディオ機器１５からの音声信号を切断し（ステップＢ３）、ヘッドホンジャック１３へ着信通知音声を出力する（ステップＢ４）。着信音声出力が終了すると、オーディオ機器１５からの音声信号を再度接続（ステップＢ５）し、初期状態、即ち上述したステップＢ２に復帰する。
【００２５】
電話機２０は、上述の如く、電話の相手に対しメッセージを要求（ステップＡ５）する。そして電話を切断したか否かを判断する（ステップＡ６）。相手が応じない場合、即ち相手がメッセージを返さずに電話を切断した場合（ステップＡ６：「切断」）には、上述した電話着信待ちの状態（ステップＡ２）に戻る。電話機２０は、電話の相手に対しメッセージを要求している間、相手が電話を切断しなかった場合（ステップＡ６：「継続」）には、相手側からメッセージが返されると判断し、電話が切断されるまでそのメッセージを無線信号として発信する（ステップＡ７）。そして、電話が切断されたか否か判断する（ステップＡ８）。電話が切断される（ステップＡ８：「切断」）と、メッセージ発信を停止し（ステップＡ９）、上述したステップＡ２へ戻る。一方、電話が切断されない場合（ステップＡ８：「継続」）には、上述したステップＡ７へ戻る。
【００２６】
再度、着信通知装置１０へ戻って説明を継続する。電話機２０からメッセージ信号を受信する（ステップＢ２：「相手のメッセージ」）と、オーディオ機器１５からの音声信号を切断し（ステップＢ６）、メッセージ信号が停止するまで、メッセージ信号を音声としてヘッドホンジャック１３から出力する（ステップＢ７）。そして、メッセージが停止したか否かを判断する（ステップＢ８）。メッセージ信号が停止すると、その後、オーディオ機器１５からの音声信号を再度接続する（ステップＢ９）。そして、着信通知装置１０は、上述した初期状態（ステップＢ２）に復帰する。
【００２７】
以上の説明では、着信通知時およびメッセージ音声出力時には、音声切り替え手段１２がオーディオ機器１５からの音声信号を切断するものとした。しかし、着信信号およびメッセージ音声とオーディオ機器１５からの音声信号とを合成してヘッドホンジャック１３からヘッドホン１４へ出力してもよい。
【００２８】
次に、図３を参照して本発明による電話着信通知方法および装置の他の実施形態について説明する。この実施形態は、基本的構成は上述した好適実施形態と同様であるが、メッセージの伝達について更に改善している。図３は、この実施形態の構成を示すブロック図である。尚、図１に示す構成要素に対応する構成要素には、説明の便宜上同じ参照符号を使用する。そして、以下では、相違点を中心に説明する。
【００２９】
図３の電話着信通知装置は、着信通知装置１０、ヘッドホン１４、オーディオ機器１５および電話機２０を備える点で、上述した図１の電話着信通知装置と同様である。しかし、着信通知装置１０は、通信手段１１、音声切り替え手段１２、ヘッドホンジャック１３およびヘッドホンプラグ１６に加えて、復号化手段１７、情報表示手段１８および再生操作手段１９を含んでいる。また、電話機２０は、音声取得手段２１および通信手段２２に加えて、暗号化手段２３およびメッセージ保存手段（メモリ）２４を含んでいる。このメッセージ保存手段は、留守録手段である。
【００３０】
図３の電話着信通知装置における電話着信時の処理は、上述した図１の電話着信通知装置と実質的に同じである。しかし、電話機２０は、電話の相手が返すメッセージについて、暗号化手段２３で暗号化を行った上で、通信手段２２から無線通信で送信する。着信通知装置１０は、この無線通信を通信手段１１で受信すると、復号化手段１７で復号化を行った後、音声切り替え手段１２を介してヘッドホン１４へ出力する。電話機２０および着信通知装置１０間で無線通信すると、この無線通信が第三者に傍受される虞がある。しかし、無線電話機２０および着信通知装置１０間の無線通信の内容を周知の暗号化手段２３で暗号化することにより、第三者が傍受することにより電話による通話内容の漏洩を効果的に防止し、通信の機密を保持することが可能である。
【００３１】
また、電話機２０は、メッセージの内容をメッセージ保存手段２４に保存する。電話のユーザ（使用者）は、着信通知装置１０の再生操作手段１９を操作することにより、メッセージ保存手段２４に保存されたメッセージを呼び出して希望する時間に再生して再度聞くことが可能である。
【００３２】
電話の着信時および電話機２０の使用者がメッセージ保存手段２４に保存されたメッセージを再度聞くとき、その電話の内容情報を情報表示手段１８に表示する。ここでいう電話の内容情報とは、例えば電話の着信時刻、電話の相手の番号、電話の相手の名前等である。また、これらの個人情報が第三者へ漏洩するのを防止するため、電話機２０は暗号化手段２３により内容を暗号化した後、通信手段２２により無線で送信する。そして、着信通知装置１０は、復号化手段１７で復号化した後に情報表示手段１８に表示する。
【００３３】
以上、本発明による電話着信通知方法および装置の好適実施形態について詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３４】
【図１】本発明による電話着信通知装置の好適実施形態の構成を示すブロック図である。
【図２】図１に示す電話着信通知装置の動作を説明するフローチャートである。
【図３】本発明による電話着信通知装置の他の実施形態の構成を示すブロック図である。
【図４】従来の電話着信通知装置の構成を示すブロック図である。
【符号の説明】
【００３５】
１０  着信通知装置
１１、２２  通信手段
１２  音声切り替え手段
１３  ヘッドホンジャック
１４  ヘッドホン
１５  オーディオ機器
１６  ヘッドホンプラグ
１７  復号化手段
１８  情報表示手段
１９  再生操作手段
２０  電話機
２１  音声取得手段
２３  暗号化手段
２４  メッセージ保存手段
【図１】
2007096736.tif 000003
【図２】
2007096736.tif 000004
【図３】
2007096736.tif 000005
【図４】
2007096736.tif 000006